(57)【要約】【課題】局部洗浄装置において、アース線を取り付ける位置の自由度を向上させること。【解決手段】局部洗浄装置１は、給水装置４１とノズル装置４５とを接続し、洗浄水が流れる洗浄水路と、内側に洗浄水が流れる筒状に形成され、洗浄水路の一部を構成する筒状部材６１と、筒状部材６１に、筒状部材６１を流れる洗浄水と電気的に接続するように設けられ、導電性を有する導電部材６２と、一端が導電部材６２に電気的に接続され、他端が接地されたアース線６３と、を備えている。【選択図】  図３Ａ
2018003256.tif 000002
【特許請求の範囲】
【請求項１】
給水源から給水装置を介して供給される洗浄水を洗浄ノズルから噴出することにより人体の局部を洗浄する局部洗浄装置であって、
前記給水装置と前記洗浄ノズルとを接続し、前記洗浄水が流れる洗浄水路と、
内側に前記洗浄水が流れる筒状に形成され、前記洗浄水路の一部を構成する筒状部材と、
前記筒状部材に、前記筒状部材を流れる洗浄水と電気的に接続するように設けられ、導電性を有する導電部材と、
一端が前記導電部材に電気的に接続され、他端が接地されたアース線と、を備えている局部洗浄装置。
【請求項２】
前記筒状部材は、導電性材製である請求項１に記載の局部洗浄装置。
【請求項３】
前記筒状部材および前記導電部材は、金属材製である請求項１または請求項２に記載の局部洗浄装置。
【発明の詳細な説明】
【技術分野】
【０００１】
本発明は、局部洗浄装置に関する。
【背景技術】
【０００２】
局部洗浄装置の一形態として、特許文献１および特許文献２に示されているものが知られている。特許文献１の局部洗浄装置は、特許文献１の図１に示すように、洗浄水の水回路の入口部分に設けられた電磁弁７の金属部分、および、洗浄水の水回路の出口部分に設けられた人体の局部を洗浄するノズル５の金属部分にアース線１４ａ，１４ｆが接続されている。
【０００３】
また、特許文献２の局部洗浄装置は、洗浄水を貯留する貯湯タンク２１に設けられた高温検知手段８０の金属ブラケット８１（特許文献２の図１１参照）、または、押さえ部材５５を拘束する金属ブラケット２３０（特許文献２の図２８参照）にアース線が接続されている。
【先行技術文献】
【特許文献】
【０００４】
【特許文献１】特公平６−３０３４号公報
【特許文献２】特許第３７１６２０１号公報
【発明の概要】
【発明が解決しようとする課題】
【０００５】
しかしながら、局部洗浄装置の水回路を構成する部材にアース線を接続する場合、アース線を接続する部材の形状を変更する必要が生じるとともに、アース線を接続する位置によっては、局部洗浄装置の製造時にアース線が接続しにくいことが考えられる。
【０００６】
本発明は、上述した問題を解消するためになされたもので、局部洗浄装置において、アース線を取り付ける位置の自由度を向上させることを目的とする。
【課題を解決するための手段】
【０００７】
上記の課題を解決するため、請求項１に係る局部洗浄装置は、給水源から給水装置を介して供給される洗浄水を洗浄ノズルから噴出することにより人体の局部を洗浄する局部洗浄装置であって、給水装置と洗浄ノズルとを接続し、洗浄水が流れる洗浄水路と、内側に洗浄水が流れる筒状に形成され、洗浄水路の一部を構成する筒状部材と、筒状部材に、筒状部材を流れる洗浄水と電気的に接続するように設けられ、導電性を有する導電部材と、一端が導電部材に電気的に接続され、他端が接地されたアース線と、を備えている。
【発明の効果】
【０００８】
これによれば、筒状部材を洗浄水路の途中に設けることができる。よって、筒状部材が設けられる位置の自由度は比較的高い。また、アース線が接続される導電部材は、筒状部材に設けられている。したがって、従来技術のようにアース線が給水装置や洗浄ノズル等に設けられている場合に比べて、アース線を接続する位置の自由度を向上することができる。
【図面の簡単な説明】
【０００９】
【図１】本発明の第一実施形態に係る局部洗浄装置を示す斜視図である。
【図２】図１に示す局部洗浄装置が備える洗浄機能部を示す模式図である。
【図３Ａ】図２に示す接地部材の部分断面図である。
【図３Ｂ】図３Ａに示す接地部材の側面図である。
【図４Ａ】本発明の第二実施形態に係る接地部材の平面図である。
【図４Ｂ】図４Ａに示す接地部材の側面図である。なお、本図においてアース線は省略されている。
【図５Ａ】本発明の第三実施形態に係る接地部材の平面図である。
【図５Ｂ】図５Ａに示すVB−VB線に沿った断面図である。なお、本図においてアース線は省略されている。
【図６Ａ】本発明の第四実施形態に係る接地部材の平面図である。
【図６Ｂ】図６Ａに示す接地部材の側面図である。なお、本図においてアース線は省略されている。
【図７】本発明の第一実施形態の変形例に係る局部洗浄装置を示す模式図である。
【図８】本発明の第一実施形態の変形例に係る接地部材を示す平面図である。
【図９】本発明の各実施形態の変形例に係る筒状部材を示す部分拡大断面図である。
【発明を実施するための形態】
【００１０】
＜第一実施形態＞
以下、本発明の第一実施形態に係る局部洗浄装置について説明する。局部洗浄装置１は、水道配管３（本発明の給水源に相当（図２参照））から供給される洗浄水を噴出することにより人体の局部を洗浄するものである。局部洗浄装置１は、図１に示すように腰掛式便器２に取り付けられている。腰掛式便器２は、便鉢部２ａを有している。
【００１１】
局部洗浄装置１は、洗浄装置本体部１０、便座２０および便座２０を覆う便蓋３０を備えている。洗浄装置本体部１０は、本体ケーシング１０ａ、洗浄機能部４０（図２参照）および局部洗浄装置１を統括制御する制御装置５０（図２参照）を備えている。
【００１２】
本体ケーシング１０ａは、例えば樹脂材料によって、中空の箱状に形成されている。本体ケーシング１０ａは、便座２０および便蓋３０を回動可能に保持する。本体ケーシング１０ａは、内側に洗浄機能部４０および制御装置５０を収容する。
【００１３】
洗浄機能部４０は、洗浄水を噴出することにより人体の局部の洗浄を行うものである。洗浄機能部４０は、図２に示すように、給水装置４１、流量検出装置４２、熱交換装置４３、ポンプ４４およびノズル装置４５（本発明の洗浄ノズルに相当）を備えている。
【００１４】
また、洗浄機能部４０は、洗浄水が流れる筒状部材６１および５つの接続水路Ｌ１〜Ｌ５を備えている。筒状部材６１の詳細は後述する。各接続水路Ｌ１〜Ｌ５は、例えばシリコンゴムによって形成された屈曲性を有する管状のホースである。
【００１５】
第一の接続水路Ｌ１は、給水装置４１と流量検出装置４２とを接続する。第二の接続水路Ｌ２は、流量検出装置４２と筒状部材６１の一端とを接続する。第三の接続水路Ｌ３は、筒状部材６１の他端と熱交換装置４３とを接続する。第四の接続水路Ｌ４は、熱交換装置４３とポンプ４４とを接続する。第五の接続水路Ｌ５は、ポンプ４４とノズル装置４５とを接続する。
【００１６】
洗浄水は、給水装置４１、第一の接続水路Ｌ１、流量検出装置４２、第二の接続水路Ｌ２、筒状部材６１、第三の接続水路Ｌ３、熱交換装置４３、第四の接続水路Ｌ４、ポンプ４４、第五の接続水路Ｌ５およびノズル装置４５の順に流れる。すなわち、給水装置４１、第一の接続水路Ｌ１、流量検出装置４２、第二の接続水路Ｌ２、筒状部材６１、第三の接続水路Ｌ３、熱交換装置４３、第四の接続水路Ｌ４、ポンプ４４、第五の接続水路Ｌ５およびノズル装置４５は、洗浄水が流れる洗浄水路を構成する。洗浄水路は、局部洗浄装置１における洗浄水が流れる流路である。
【００１７】
給水装置４１は、水道配管３に取り付けられた分岐水栓３ａに、洗浄水が流れる給水ホースＨを介して接続されている。分岐水栓３ａは、水道配管３を流れる上水を洗浄水として給水ホースＨに導出する。
【００１８】
給水装置４１は、水道配管３からの洗浄水を洗浄機能部４０に導入するものである。給水装置４１は、具体的には、給水ホースＨからの洗浄水を第一の接続水路Ｌ１に導出する。給水装置４１には、給水ホースＨから第一の接続水路Ｌ１に向けて、ストレーナ４１ａ、逆止弁４１ｂ、定流量弁４１ｃ、止水電磁弁４１ｄおよびリリーフ弁４１ｅがこの順に設けられている。
【００１９】
ストレーナ４１ａは、洗浄水に含まれるゴミ等を除去するものである。逆止弁４１ｂは、給水ホースＨから第一の接続水路Ｌ１への洗浄水の流れを許容するが、逆方向の流れを規制するものである。定流量弁４１ｃは、洗浄水の流量（単位時間あたりの流量）をおよそ一定に調整するものである。
【００２０】
止水電磁弁４１ｄは、開状態である場合に洗浄水の流れを許容し、閉状態である場合に洗浄水の流れを規制する電磁弁である。また、止水電磁弁４１ｄは、通電されている場合に開状態となり、非通電である場合に閉状態となるノーマルクローズ型の電磁弁である。
【００２１】
リリーフ弁４１ｅは、定流量弁４１ｃによって流量が調整された洗浄水のうちポンプ４４によって吸引されない洗浄水を洗浄機能部４０から外部（便鉢部２ａ内）へ放出するものである。
【００２２】
流量検出装置４２は、洗浄水の流量（単位時間あたりの流量）を検出するものである。流量検出装置４２は、第一温度センサ４２ａおよび流量センサ４２ｂが設けられている。
第一温度センサ４２ａは、流量検出装置４２を流れる洗浄水の温度（特に第一温度センサ４２ａの設置場所の温度）を検出するものである。第一温度センサ４２ａによって検出された洗浄水の温度は、検出信号として制御装置５０に送信される。
【００２３】
流量センサ４２ｂは、洗浄水の流量（特に流量センサ４２ｂの設置場所の流量（単位時間あたりの流量））を検出するものである。流量センサ４２ｂは、例えば羽根車式の流量センサである。流量センサ４２ｂによって検出された洗浄水の流量は、検出信号として制御装置５０に送信される。
【００２４】
熱交換装置４３は、洗浄水の温度を所定温度とするように洗浄水を加熱するものである。所定温度は、人体の局部を洗浄する洗浄水の温度（例えば３９℃）である。熱交換装置４３は、加熱ヒータ４３ａおよび第二温度センサ４３ｂが設けられている。
【００２５】
加熱ヒータ４３ａは、洗浄水路（熱交換装置４３）に設けられ、制御装置５０からの制御信号にしたがって、洗浄水を加熱するものである。加熱ヒータ４３ａは、本第一実施形態においてはセラミックヒータである。加熱ヒータ４３ａは、ヒータ本体部（図示なし）および通電されることにより発熱する発熱体（図示なし）を備えている。ヒータ本体部は、例えばアルミナ等のセラミックスによって円筒状に形成されている。発熱体は、例えばヒータ本体部とともに焼結されることによりヒータ本体部と一体に形成されている。発熱体は、ヒータ本体部の内部に外部から絶縁されて設けられている。
【００２６】
洗浄水が熱交換装置４３を流れるときに、ヒータ本体部の外表面が洗浄水に直接接触する。このとき、加熱ヒータ４３ａは、洗浄水の温度を所定温度とするように洗浄水を加熱する。すなわち、本第一実施形態における熱交換装置４３の洗浄水の加熱方式は、瞬間式である。
【００２７】
第二温度センサ４３ｂは、洗浄水の温度（特に第二温度センサ４３ｂの設置場所の温度）を検出するものである。第二温度センサ４３ｂは、加熱ヒータ４３ａによって加熱された洗浄水の温度を検出する。第二温度センサ４３ｂによって検出された洗浄水の温度は、検出信号として制御装置５０に送信される。
【００２８】
ポンプ４４は、制御装置５０からの制御信号にしたがって、第五の接続水路Ｌ５に導出する洗浄水の流量を調整するものである。ポンプ４４は、本第一実施形態において、プランジャポンプであり、モータ（図示なし）およびモータの回転駆動により往復運動するプランジャ（図示なし）を含んで構成されている。ポンプ４４のモータの回転数が制御装置５０によって調整されることにより、洗浄水の流量が調整される。また、プランジャの往復運動によって、ノズル装置４５から噴出する洗浄水が脈動する。これにより、洗浄水の流量が比較的少ない場合においても、洗浄水が脈動しない場合に比べて、人体の局部を洗浄する水勢を強くすることができる。
【００２９】
ノズル装置４５は、第五の接続水路Ｌ５からの洗浄水を人体の局部に向けて噴出するものである。ノズル装置４５は、流路切替弁４５ａ、第六の接続水路Ｌ６、第七の接続水路Ｌ７、排水路Ｄ、おしり洗浄ノズル４５ｂおよびビデ洗浄ノズル４５ｃを備えている。
【００３０】
各接続水路Ｌ６，Ｌ７および排水路Ｄは、例えばシリコンゴムによって形成された屈曲性を有する管状のホースである。第六の接続水路Ｌ６は、流路切替弁４５ａとおしり洗浄ノズル４５ｂとを接続する。第七の接続水路Ｌ７は、流路切替弁４５ａとビデ洗浄ノズル４５ｃとを接続する。排水路Ｄは、流路切替弁４５ａから便鉢部２ａ内に向けて洗浄水を排出する。
【００３１】
流路切替弁４５ａは、制御装置５０からの制御信号にしたがって、第五の接続水路Ｌ５からの洗浄水を、第六の接続水路Ｌ６、第七の接続水路Ｌ７および排水路Ｄのうちの一つに選択的に切り替えて導出するものである。流路切替弁４５ａは、例えば四方弁である。
【００３２】
おしり洗浄ノズル４５ｂは、おしり洗浄を行うものである。おしり洗浄ノズル４５ｂは、第六の接続水路Ｌ６からの洗浄水を人体の局部に向けて噴出する。
ビデ洗浄ノズル４５ｃは、ビデ洗浄を行うものである。ビデ洗浄ノズル４５ｃは、第七の接続水路Ｌ７からの洗浄水を人体の局部に向けて噴出する。
【００３３】
また、局部洗浄装置１は、接地部材６０をさらに備えている。接地部材６０は、局部洗浄装置１を接地するものである。接地部材６０は、具体的には、洗浄水を介して加熱ヒータ４３ａを間接的に接地する（詳細は後述する）。接地部材６０は、図３Ａおよび図３Ｂに示すように、筒状部材６１、導電部材６２およびアース線６３を備えている。
【００３４】
筒状部材６１は、内側に洗浄水が流れる筒状に形成されている。すなわち、筒状部材６１は、洗浄水路の一部を構成する。筒状部材６１は、具体的には、両端を開口する軸線を真直とするとともに、内径を一定とする筒状に形成されている。筒状部材６１は、導電性材製である。筒状部材６１は、具体的には、例えばステンレス鋼などの金属材製である。また、筒状部材６１の両端部は、接続水路Ｌ２，Ｌ３に挿入されて接続されるとともに、例えばホースクリップＣによって接続水路Ｌ２，Ｌ３の外れが規制されている。
【００３５】
導電部材６２は、筒状部材６１を流れる洗浄水と電気的に接続するように設けられ、導電性を有するものである。導電部材６２は、板状に形成されている。導電部材６２は、具体的には、筒状部材６１と同じ金属材製である。導電部材６２は、一方面が筒状部材６１の外周面と接触して電気的に接続するように固定されている（図３Ｂ参照）。導電部材６２は、具体的には、筒状部材６１に溶接（例えばスポット溶接）されて固定されている。これにより、導電部材６２と筒状部材６１の内側に流れる洗浄水とが電気的に接続する。また、導電部材６２は、アースねじＳが嵌められる、ねじ穴６２ａが設けられている。
【００３６】
アース線６３は、局部洗浄装置１を接地する電線である。アース線６３は、複数の線状の導体が、絶縁性を有する絶縁被覆によって覆われたものである。アース線６３は、具体的には、一端が導電部材６２に電気的に接続され、他端が接地されている。
【００３７】
アース線６３の一端部には、丸型端子６３ａが取り付けられている。具体的には、アース線６３の一端部は、絶縁被覆が剥かれて導体が露出した状態にて、導体に丸型端子６３ａが圧着される。これにより、アース線６３と丸型端子６３ａが電気的に接続される。また、丸型端子６３ａがアースねじＳによって導電部材６２に電気的に接続されて固定されている。これらにより、アース線６３の一端部が導電部材６２と電気的に接続される。また、上述したように導電部材６２と筒状部材６１とが電気的に接続されているため、アース線６３の一端部と筒状部材６１とが電気的に接続される。
【００３８】
アース線６３の他端部は、洗浄装置本体部１０の外部にて、家屋等に設けられた接地極（図示なし）に電気的に接続される。アース線６３の他端部は、絶縁被覆が剥かれて導体が露出した状態にて、導体と接地極とが電気的に接続される。アース線６３の他端部は、通常、局部洗浄装置１が腰掛式便器２に取り付けられるときに接地極に接続される。これにより、アース線６３を介して、筒状部材６１と接地極とが電気的に接続される。なお、アース線６３の両端部以外の部位においては、絶縁被覆が剥かれておらず、導体が絶縁被覆に覆われている。
【００３９】
次に、上述した局部洗浄装置１の動作について説明する。局部洗浄装置１の待機状態（おしり洗浄およびビデ洗浄が行われていない状態）においては、制御装置５０は、止水電磁弁４１ｄを非通電状態とするため、止水電磁弁４１ｄが閉状態である。また、局部洗浄装置１の待機状態において、制御装置５０は、加熱ヒータ４３ａをオフするとともに、流路切替弁４５ａを第五の接続水路Ｌ５と排水路Ｄとを接続するように制御する。
【００４０】
局部洗浄装置１が待機状態である場合に、おしり洗浄を行うためのスイッチ（図示なし）がオンされたとき、制御装置５０は、おしり洗浄を行う。制御装置５０は、具体的には、止水電磁弁４１ｄを開状態にするとともに、ポンプ４４を駆動させる。
【００４１】
これにより、洗浄水が洗浄水路を給水装置４１からノズル装置４５に向けて流れる。このとき、流量センサ４２ｂによって検出された洗浄水の流量が所定流量以上である場合、制御装置５０は、各温度センサ４２ａ，４３ｂによって検出された洗浄水の温度に基づいて、第二温度センサ４３ｂによって検出される温度が所定温度となるように、加熱ヒータ４３ａをオンする。所定流量は、熱交換装置４３において、加熱ヒータ４３ａによる空焚きが発生しない流量に設定されている。洗浄水の温度が所定温度となるまで、洗浄水が便鉢部２ａ内に排水される。
【００４２】
そして、第二温度センサ４３ｂによって検出された温度が所定温度となった場合、制御装置５０は、第五の接続水路Ｌ５と第六の接続水路Ｌ６とを接続するように流路切替弁４５ａを制御する。これにより、洗浄水がおしり洗浄ノズル４５ｂから噴出する。
【００４３】
上述したように、アース線６３と筒状部材６１とが電気的に接続されている。また、洗浄水が洗浄水路を流れている場合、接地部材６０の筒状部材６１の内周面と加熱ヒータ４３ａのヒータ本体部の外表面とが洗浄水を介して電気的に接続される。よって、この場合、アース線６３と加熱ヒータ４３ａの外表面とが洗浄水を介して間接的に電気的に接続される。このように、接地部材６０は、洗浄水を介して加熱ヒータ４３ａを間接的に接地する。したがって、加熱ヒータ４３ａのヒータ本体部の絶縁破壊が発生した場合、発熱体からの漏洩電流が洗浄水を介してアース線６３を通って接地極（ひいては地中）に流れる。加熱ヒータ４３ａのヒータ本体部の絶縁破壊は、例えば加熱ヒータ４３ａの劣化によって発生する。
【００４４】
上述したおしり洗浄が行われている場合に、おしり洗浄を停止させるスイッチ（図示なし）がオンされた場合、制御装置５０は、おしり洗浄を停止する。制御装置５０は、具体的には、止水電磁弁４１ｄを閉状態にするとともに、ポンプ４４の駆動を停止させる。さらに、制御装置５０は、加熱ヒータ４３ａをオフするとともに、流路切替弁４５ａを第五の接続水路Ｌ５と排水路Ｄとを接続するように制御する。これにより、局部洗浄装置１が待機状態に戻る。
【００４５】
本第一実施形態によれば、局部洗浄装置１は、水道配管３から給水装置４１を介して供給される洗浄水をノズル装置４５から噴出することにより人体の局部を洗浄する。局部洗浄装置１は、給水装置４１とノズル装置４５とを接続し、洗浄水が流れる洗浄水路と、内側に洗浄水が流れる筒状に形成され、洗浄水路の一部を構成する筒状部材６１と、筒状部材６１に、筒状部材６１を流れる洗浄水と電気的に接続するように設けられ、導電性を有する導電部材６２と、一端が導電部材６２に電気的に接続され、他端が接地されたアース線６３と、を備えている。
【００４６】
これによれば、筒状部材６１を洗浄水路の途中に設けることができる。よって、筒状部材６１が設けられる位置の自由度は比較的高い。また、アース線６３が接続される導電部材６２は、筒状部材６１に設けられている。したがって、従来技術のようにアース線６３が給水装置４１やノズル等に設けられている場合に比べて、アース線６３を接続する位置の自由度を向上することができる。
【００４７】
そして、アース線６３を取り付ける位置の自由度が向上するため、洗浄装置本体部１０内におけるレイアウトの自由度を向上させることができる。
また、筒状部材６１は、両端に管状の接続水路Ｌ２，Ｌ３をそれぞれ接続することにより洗浄水路の途中に設置される。よって、筒状部材６１を洗浄水路に比較的簡便に設けることができる。
【００４８】
また、洗浄水の加熱方式が上述した瞬間式ではなく、後述する貯湯式である場合においても、筒状部材６１を介してアース線６３を接続することができる。よって、洗浄水の加熱方式が異なる局部洗浄装置間においてもアース線６３を接続する部材（筒状部材６１および導電部材６２）の共通化を図ることができる。
【００４９】
また、筒状部材６１は、導電性材製である。
これによれば、導電部材６２が洗浄水に直接接触しない場合においても、導電部材６２と筒状部材６１とが電気的に接続することにより、導電部材６２と洗浄水とが電気的に接続する。よって、洗浄水と導電部材６２との電気的接続を比較的簡便に行うことができる。
【００５０】
また、筒状部材６１および導電部材６２は、金属材製である。
これによれば、筒状部材６１と導電部材６２との電気的な接続を比較的簡便な工法にて行うことができる。
【００５１】
＜第二実施形態＞
次に、本発明による局部洗浄装置の第二実施形態について、主として上述した第一実施形態と異なる部分について説明する。本第二実施形態においては、上述した第一実施形態の接地部材６０に代えて、接地部材１６０を備えている。接地部材１６０は、接地部材６０の導電部材６２に代えて、図４Ａおよび図４Ｂに示すように、導電部材１６２を備えている。
【００５２】
導電部材１６２は、例えばステンレス鋼材などの金属材製である。本第二実施形態においては、導電部材１６２の材質と筒状部材６１の材質が異なるようにしても良い。導電部材１６２は、断面Ｕ字状の板の両端部が重ねて圧着されることにより形成される。また、導電部材１６２が圧着されるとき、導電部材１６２の内側に筒状部材６１が挟持される（図４Ｂ参照）。これにより、筒状部材６１が導電部材１６２によって圧迫されて固定されるため、導電部材１６２と筒状部材６１とが電気的に接続される。
【００５３】
＜第三実施形態＞
次に、本発明による局部洗浄装置の第三実施形態について、主として上述した第一実施形態と異なる部分について説明する。本第三実施形態においては、上述した第一実施形態の接地部材６０に代えて、接地部材２６０を備えている。接地部材２６０は、接地部材６０の筒状部材６１および導電部材６２に代えて、図５Ａおよび図５Ｂに示すように、筒状部材２６１および導電部材２６２を備えている。
【００５４】
筒状部材２６１は、熱可塑性の樹脂材料（例えばポリプロピレン）によって形成されている。すなわち、筒状部材２６１は、絶縁材製である。また、筒状部材２６１は、例えばインサート成形によって導電部材２６２と一体に形成されている。
【００５５】
導電部材２６２は、筒状部材２６１を流れる洗浄水に直接接触可能に形成されている。具体的には、導電部材２６２の一端部が、筒状部材２６１の内周面と同一面上に配置される曲面２６２ｂを有している（図５Ｂ参照）。
【００５６】
＜第四実施形態＞
次に、本発明による局部洗浄装置の第四実施形態について、主として上述した第一実施形態と異なる部分について説明する。本第四実施形態においては、上述した第一実施形態の接地部材６０に代えて、接地部材３６０を備えている。接地部材３６０は、接地部材６０の筒状部材６１および導電部材６２に代えて、図６Ａおよび図６Ｂに示すように、筒状部材３６１および導電部材３６２を備えている。
【００５７】
筒状部材３６１は、筒状に形成されるとともに、鍔部３６１ａが形成されている。鍔部３６１ａは、外周面から径方向外側に全周に亘って突出するように形成されている。鍔部３６１ａは、例えばプレス加工によって形成される。
【００５８】
導電部材３６２は、円筒状の円筒部３６２ｃおよび板状の平板部３６２ｄを有している。円筒部３６２ｃと平板部３６２ｄとは一体的に形成されている。導電部材３６２は、金属粉末を成形して焼結することにより形成されている。金属粉末は、例えばステンレス鋼粉である。
【００５９】
円筒部３６２ｃの内側には、筒状部材３６１が圧入されている。また、円筒部３６２ｃは、筒状部材３６１が嵌る環状の凹部３６２ｅが形成されている。鍔部３６１ａが凹部３６２ｅに嵌ることにより、筒状部材３６１が位置決めされる。
【００６０】
＜変形例＞
なお、上述した実施形態において、局部洗浄装置の一例を示したが、本発明はこれに限定されず、他の構成を採用することもできる。例えば、接地部材６０は、流量検出装置４２と熱交換装置４３との間に配置されているが、これに代えて、接地部材６０を熱交換装置４３とポンプ４４との間、またはポンプ４４とノズル装置４５との間に配置するようにしても良い。
【００６１】
また、上述した各実施形態において、接地部材６０が一つ配置されているが、これに代えて、接地部材６０を複数配置するようにしても良い。具体的には、図７に示すように、上述した第二の接続水路Ｌ２と第三の接続水路Ｌ３との間に接地部材６０を配置するのに加え、接地部材６０を熱交換装置４３とポンプ４４との間に設けるようにしても良い。この場合、熱交換装置４３の上流側および下流側に接地部材６０がそれぞれ設置される。なお、この場合、第四の接続水路Ｌ４が熱交換装置４３と筒状部材６１とを接続するとともに、第八の接続水路Ｌ８が筒状部材６１とポンプ４４とを接続する。
【００６２】
また、上述した実施形態において、熱交換装置４３の加熱方式は、瞬間式であるが、これに代えて加熱方式を貯湯式にしても良い。加熱方式が貯湯式である場合、熱交換装置４３は、洗浄水を貯留するタンク部（図示なし）を備えている。タンク部は、中空の箱状に形成され、内部に洗浄水を貯留する。加熱方式が貯湯式である場合、加熱ヒータ（例えばシーズヒータ；図示なし）は、タンク部に貯留された洗浄水を加熱する。
【００６３】
また、上述した各実施形態において導電部材６２にはアースねじＳが嵌められるねじ穴６２ａが形成されているが、図８に示す接地部材４６０の導電部材４６２のように、ねじ穴４６２ａに加えて貫通穴４６２ｆを形成するようにしても良い。この貫通穴４６２ｆを用いて、洗浄装置本体部１０内の被固定部（図示なし）に、導電部材６２を螺子（図示なし）によって固定するようにしても良い。洗浄装置本体部１０内の被固定部は、例えば、本体ケーシング１０ａの底面や制御装置５０のケーシング（図示なし）である。
【００６４】
また、円筒部材５６１の両端部の外表面に、図９に示すように、凸部５６１ｂを複数形成するようにしても良い。凸部５６１ｂは、円筒部材５６１の外周面の周方向に沿った環状に、かつ、断面三角形状に形成されている。複数の凸部５６１ｂによって接続水路Ｌ２，Ｌ３の外れを抑制できるため、ホースクリップＣ（図３Ａ参照）を不要とすることができる。
【００６５】
また、筒状部材６１，１６１，２６１，３６１は、軸線を真直とするとともに、内径を一定とする筒状に形成されているが、これに代えて、筒状部材６１を軸線が曲がっている筒状に形成しても良い。また、軸線方向に沿って筒状部材６１，１６１，２６１，３６１の内径が変化する筒状に形成するようにしても良い。
また、本発明の要旨を逸脱しない範囲において、筒状部材６１および導電部材６２の形状や材質を変更しても良い。
【符号の説明】
【００６６】
１…局部洗浄装置、３…水道配管（給水源）、４０…洗浄機能部、４１…給水装置、４２…流量検出装置、４３…熱交換装置、４４…ポンプ、４５…ノズル装置、５０…制御装置、６０…接地部材、６１…筒状部材、６２…導電部材、６３…アース線。
【図１】
2018003256.tif 000003
【図２】
2018003256.tif 000004
【図３Ａ】
2018003256.tif 000005
【図３Ｂ】
2018003256.tif 000006
【図４Ａ】
2018003256.tif 000007
【図４Ｂ】
2018003256.tif 000008
【図５Ａ】
2018003256.tif 000009
【図５Ｂ】
2018003256.tif 000010
【図６Ａ】
2018003256.tif 000011
【図６Ｂ】
2018003256.tif 000012
【図７】
2018003256.tif 000013
【図８】
2018003256.tif 000014
【図９】
2018003256.tif 000015